(57)【要約】      （修正有）【課題】メッセージカードをポケット中に収納する作業を簡易に行うことができるメッセージシート収納用樹脂製袋を提供する。【解決手段】樹脂製袋１０の外側面の上半部と下半部において、透光性の樹脂シートにより上方開口の上部ポケット１１と上方開口の下部ポケット１２とをそれぞれ形成すると共に、上部ポケット１１の下底部を、下部ポケット１２の上方開口方向に向かって伸延し、下部ポケット１２の開口縁部との間に一定の間隔を有する記入空間を形成した。【選択図】図１
0003156642.tif 000002
【実用新案登録請求の範囲】
【請求項１】
樹脂製袋の外側面の上半部と下半部において、透光性の樹脂シートにより上方開口の上部ポケットと上方開口の下部ポケットとをそれぞれ形成すると共に、上部ポケットの下底部を、下部ポケットの上方開口方向に向かって伸延し、下部ポケットの開口縁部との間に一定の間隙を形成したことを特徴とするメッセージシート収納用樹脂製袋。
【請求項２】
上部ポケットの下底部の熱溶着部内に切断体を溶入して、熱溶着部と共に樹脂製袋の一側壁を破断するように構成したことを特徴とするメッセージシート収納用樹脂製袋。
【考案の詳細な説明】
【技術分野】
【０００１】
本考案は、本発明は、メッセージシート収納用樹脂製袋に関し、詳細には、タオルなど贈答品を収納するメッセージシート収納用樹脂製袋に関する。
【背景技術】
【０００２】
従来、例えば、ノベルティ商品等に利用されるタオルは、通常袋状の合成樹脂製袋中に収納して、袋の外側面に、のし又はメッセージ紙等を貼付して引渡す。
しかし、宣伝広告の効果を上げるべく袋状の合成樹脂シートに種々の工夫を凝らしたノベルティ商品として物品がある。
【先行技術文献】
【特許文献】
【０００３】
【特許文献１】特開２００１−０５８４８２号公報
【考案の概要】
【考案が解決しようとする課題】
【０００４】
ところが、かかる合成樹脂製袋の外側面にポケットを形成してポケット中に宣伝広告用のシート等を収納して、メッセージとする構成とした場合には、大判のメッセージカードをポケット中に収納する作業が煩雑となり、また、特定のメッセージを収納作業後に行う必要が生じた場合には、メッセージカードを抜き出して行わねばならず、更に煩雑となる。
【０００５】
また、重要なメッセージカードが袋の搬送時や頒布作業時にポケットから落下して紛失することもあった。
【０００６】
本考案は、斯かる事情に鑑みてなされたものであって、メッセージカードをポケット中に収納する作業を簡易に行うことができるメッセージシート収納用樹脂製袋を提供することを目的とする。
【課題を解決するための手段】
【０００７】
そこで、上記問題点を解決すべく、請求項１に係る考案は、樹脂製袋の一外側面の上半部と下半部において、透光性の樹脂シートにより上方開口の上部ポケットと上方開口の下部ポケットとをそれぞれ形成すると共に、上部ポケットの下底部を、下部ポケットの上方開口方向に向かって伸延し、下部ポケットの開口縁部との間に一定の間隙を形成することとした。
【０００８】
また、請求項２に係る考案は、請求項１に記載のメッセージシート収納用樹脂製袋において、上部ポケットの下底部の熱溶着部内に切断体を溶入して、熱溶着部と共に樹脂製袋の一側壁を破断するように構成することとした。
【考案の効果】
【０００９】
請求項１に係る考案によれば、上部ポケットと下部ポケットに上下２段に分けてメッセージシートを収納することができるため、メッセージ量を多く形成することができると共に、下方メッセージシートは、上部ポケットの下方の垂下壁中に上部を挿入して収納することができるので確実な下方メッセージシートの収納保持が可能となり、更には垂下壁の下方の開口部から必要により下方メッセージシートの中途部分に所定のメッセージを書込むことができるので、頒布相手に応じたきめの細かいノベルティ商品のメッセージを形成でき、一段とノベルティ商品としての機能を飛躍することができる効果がある。
【００１０】
また、請求項２に係る考案によれば、樹脂製袋内の収納物を取出すに際し、無理に樹脂製袋を破る必用がなく、切断体を熱溶着部に沿って引張り熱溶着部と共に樹脂製袋の一側壁を破断することにより容易に内収納物を取出すことができる効果がある。
【図面の簡単な説明】
【００１１】
【図１】本考案に係るメッセージシート収納用樹脂製袋の構成を示す正面図である。
【図２】図１のＡ−Ａ断面図である。
【図３】変形例に係るメッセージシート収納用樹脂製袋の構成を示す正面図である。
【図４】他の変形例に係るメッセージシート収納用樹脂製袋の構成を示す正面図である。
【考案を実施するための形態】
【００１２】
以下、本考案の一実施形態に係るメッセージシート収納用樹脂製袋１を図面に基づき説明する。
【００１３】
図１は本考案の一実施形態に係るメッセージシート収納用樹脂製袋の構成を示す斜視図であり、図２は図１のＡ−Ａ断面図である。
【００１４】
［メッセージシート収納用樹脂製袋１の概要］
図１，２に示すように、実施形態に係るに係るメッセージシート収納用樹脂製袋１は、樹脂製袋１０と、この樹脂製袋１０の前方外側面の上半部１０ａに設けられた上部ポケット１１と、該袋１０の下半部１０ｂに設けられた下部ポケット１２とを備えている。上部ポケット１１の下底部１１ａは、下部ポケット１２の上方開口方向に向かって伸延し、垂下壁１３を形成している。また、後述する垂下壁１３の挿入開口部１３ａと、下部ポケット１２の上端開口部１２ａとの間に一定の間隔を有する記入空間Ｓを形成している。さらに、樹脂製袋１０の下半部１０ｂには、樹脂製袋１０と下部ポケット１２とを貫通する空気孔２０を形成している。
【００１５】
樹脂製袋１０は、例えば、例えばノベルティ商品として長方形状に折畳んだタオル等を収納可能に形成されており、長方形状に形成した２枚の合成樹脂製シートにより構成されている。２枚の合成樹脂製シートのうち、前方に配置された中シート１７の上端部１７ａは、後方に配置された裏シート１８の上端部より突出した状態となっており、この上端部１７ａの後方側面には接着剤塗布部１５が設けられている。接着剤塗布部１５と裏シート１８の上端部１８ａの後方側面を接着することで樹脂製袋１０は密封される。
【００１６】
なお、樹脂製袋を構成する中シート１７及び裏シート１８としては、必要に応じて透明或いは半透明の素材を利用する。
【００１７】
上部ポケット１１は、例えば、絵はがき又は広告等を収納可能に構成されている。上部ポケット１１は、長方形状に形成した合成樹脂製の表シート１９の左右両端縁及び下側縁を、樹脂製袋１０を構成する中シート１７の前方側面に熱シールすることにより形成される。
【００１８】
また、上部ポケット１１の高さは、裏シート１８の高さと略同等としている。従って、図２（ａ）中、破線に示すように、接着剤塗布部１５と裏シート１８の後方側面を接着して樹脂製袋１０を密封した状態であっても、上部ポケット１１への絵はがき等の出し入れが可能に形成されている。
【００１９】
なお、上部ポケット１１の高さは、裏シート１８の高さと略同等に限定されず、例えば、裏シート１８の高さよりも高くすることができる。この場合には、図２（ｂ）に示すように、樹脂製袋１０を構成する中シート１７の上端部１７ａを折り曲げる際に、上部ポケット１１の上端部１１ｂも同時に折り曲げることができる。これにより、上部ポケット１１に収納した絵はがき等がこぼれ落ちることを防止することができる。
【００２０】
下部ポケット１２は、例えば、名刺又はメッセージカード等を収納可能に構成されており、中シート１７及裏シート１８により形成されている。
【００２１】
垂下壁１３は、上部ポケット１１の下方において、表シート１９を、下部ポケット１２の上方開口方向に向かって伸延させて形成しており、その下端縁に挿入開口部１３ａを形成している。この垂下壁１３は、その挿入開口部１３ａにより、下部ポケット１２に収納した名刺等の上端部を保持可能に形成されており、下部ポケット１２内に収納した名刺等がこぼれ落ちることを防止できるようになっている。
【００２２】
また、垂下壁１３の挿入開口部１３ａと、下部ポケット１２の上端開口部１２ａとの間には、所定の間隔を有する記入空間Ｓが形成されており、この記入空間Ｓにより、下部ポケット１２に収納した名刺等へのメッセージ等の書込みができるようになっている。
【００２３】
垂下壁１３の挿入開口部１３ａは、下部ポケット１２に収納された名刺等を出し入れする際には、開閉される。そこで、垂下壁１３の直上に熱溶着部１４を配置したので、垂下壁１３の樹脂製袋１０との接着強度を高めることができる。従って、名刺等を下部ポケット１２から出し入れする際の開閉動作により垂下壁１３が破損することが抑制される。
【００２４】
空気孔２０は、樹脂製袋１０の下半部１０ｂ、すなわち、下部ポケット１２の略中央の左右両部に形成している。この空気孔２０は、図２（ａ）に示すように、裏シート１８の下端部１８ｂに形成した表空気孔２０ａと、中シート１７に形成した中空気孔２０ｂと、裏シート１８に形成した裏空気孔２０ｃとにより構成されている。表空気孔２０ａ、中空気孔２０ｂ及び裏空気孔２０ｃは同じ位置に形成されている。このメッセージシート収納用樹脂製袋１では、空気孔２０を樹脂製袋１０の下半部１０ｂに形成したので、樹脂製袋１０及び下部ポケット１２内に空気が滞留することを防止することができる。
【００２５】
例えば、樹脂製袋１０の内部にタオル等を収納する際には、中シート１７の上端部１７ａを、裏シート１８の上端部１８ａに接着して樹脂製袋１０内を密封する。樹脂製袋１０内を密封した状態のメッセージシート収納用樹脂製袋１を箱詰め等する場合には、上に重ねたメッセージシート収納用樹脂製袋１の重量等により、メッセージシート収納用樹脂製袋１が破裂するおそれがある。しかし、空気孔２０を形成することで、メッセージシート収納用樹脂製袋１が破裂することを防止することができる。
【００２６】
特に、裏シート１８の下端部１８ｂ、すなわち、下部ポケット１２の表面に表空気孔２０ａを形成したので樹脂製袋１０内の排気効率を高めることができる。具体的には、樹脂製袋１０と下部ポケット１２とは、その下端部において連通しているため、樹脂製袋１０内の空気を排気すると共に、下部ポケット１２内の空気を排気することで排気効率を高めることができる。
【００２７】
なお、空気孔２０を形成する位置は、樹脂製袋１０の下半部１０ｂには限定されない。
【００２８】
このように、本実施形態のメッセージシート収納用樹脂製袋１では、樹脂製袋の前方側面に上部ポケット１１及び下部ポケット１２を配設するようにしたので、メッセージシート収納用樹脂製袋１に収納可能な収納量を増加させることができる。
【００２９】
また、上部ポケット１１の高さを、裏シート１８の高さと略同等としたので、樹脂製袋１０内にタオル等のノベルティ商品を収納し、密封した状態であっても、上部ポケット１１に絵はがき等を収納することができる。
【００３０】
また、下部ポケット１２の上方に、垂下壁１３を配設するようにしたので、下部ポケット１２に収納した名刺等の下部を挿入すると共に、垂下壁１３の挿入開口部１３ａに収納した名刺等の上部を挿入することができる。従って、下部ポケット１２に収納した名刺等をその上下両方から保持することができ、当該名刺等が下部ポケット１２からこぼれ落ちることを防止することができる。
【００３１】
特に、垂下壁１３の挿入開口部１３ａと、下部ポケット１２の上端開口部１２ａとの間に記入空間Ｓを形成するようにしたので、下部ポケット１２に収納した名刺等へのメッセージ等の書込みをすることができる。
【００３２】
また、垂下壁１３の直上に熱溶着部１４を配設するようにしたので、下部ポケット１２に収納した名刺等を出し入れする際の開閉動作により、垂下壁１３が破損することを抑制することができる。
【００３３】
以上、本実施形態に係るメッセージシート収納用樹脂製袋１について説明したが、これには限定されない。
【００３４】
例えば、図３に示すように、上部ポケット１１の上端部１１ｂの左右両端にＶ字状に形成した切り込み部１１ｃを形成することもできる。この場合には、樹脂製袋１０の接着剤塗布部１５を樹脂製袋１０の後方側面に接着させて、樹脂製袋１０を封止した状態であっても、上部ポケット１１の上端部１１ｂを開き易くすることができる。これにより、上部ポケット１１への収納物の出し入れを容易にすることができる。
【００３５】
また、図４に示すように、上部ポケット１１の上端部１１ｂの左右両端に熱溶着部１１ｄを配設することもできる。この場合には、上部ポケット１１の上端部１１ｂの接合強度を向上させることができ、表シート１９が裏シート１８から剥がれることを抑制することができる。これにより、上部ポケット１１に収納物を出し入れする際に上部ポケット１１が破損することを防止することができる。
【００３６】
また、上部ポケット１１の下底部１１ａの熱溶着部１４には、上部ポケット１１用の樹脂シートと樹脂製袋１０の一側面との間に帯状、或いは紐状の切断体を介在して熱溶着しておくことができる。
【００３７】
かかる切断体は、封入した内収容物を樹脂製袋１０から取出す際に該袋１０を切り破って出す場合が多いため、予め切断体を上部ポケット１１の下底部の熱溶着部１４に配設しておくことにより、この切断体の端部を把持して熱溶着部１４に沿って引張ると熱溶着部１４が樹脂製袋１０の一側面と共に破損して内収容物をこの開口部分により容易に取出すことができるものである。
【００３８】
なお、切断体は、材質を樹脂や釣用のテグス等を用いることとし、その基端部は熱溶着部１４より一部突出させてつまみ部としておく。
【００３９】
次に、本考案の一実施形態に係るメッセージシート収納用樹脂製袋１の製造方法について説明する。
【００４０】
まず、中シート１７と裏シート１８とにより予め筒状に形成された袋基体を準備する。このとき、中シート１７の上端部１７ａの一側面には接着剤塗布部１５を形成し、この接着剤塗布部１５が裏シート１８と対向するように配置する。また、中シート１７の上端部１７ａが裏シート１８の上端部よりも上方に突出し、裏シート１８の下端部１８ｂが中シート１７の下端部よりも下方に突出するように配置する。
【００４１】
次に、裏シート１８の下端部１８ｂを、中シート１７の前方側面側に折り返し、中シート１７の前方側面において、裏シート１８の下端部１８ｂの左右両側縁と中シート１７の前方側面とを熱シールする。これにより、樹脂製袋１０を形成すると共に、該樹脂製袋１０の下半部１０ｂに下部ポケット１２を形成する。そして、樹脂製袋１０及び下部ポケット１２に空気孔２０を形成する。
【００４２】
次に、表シート１９を樹脂製袋１０の上半部１０ａに配置すると共に、表シート１９の左右両側縁及び下側縁を樹脂製袋１０の前方側面に熱シールする。これにより、上部ポケット１１を形成すると共に、該上部ポケット１１の下底部１１ａに熱溶着部１４を形成する。また、上部ポケット１１の下底部には垂下壁１３が伸延されている状態となり、しかも、垂下壁１３と下部ポケット１２との間には一定の間隔を有する記入空間Ｓが形成されている。
【００４３】
本実施形態に係るメッセージシート収納用樹脂製袋１は、上記のように構成されているものであり、実際の使用に際しては、予め樹脂製袋１０中にタオル等の商品を収納して封入する。
【００４４】
次に、上部ポケット１１と下部ポケット１２中に上方開口部から必要な絵はがき又は名刺等を収納する。特に、下方メッセージシートはその上端部分を垂下壁１３中に押し込むと下方メッセージシートの上下部分は垂下壁１３中と下部ポケット１２との中に収納保持されて、落下することがない。
【００４５】
しかも垂下壁１３と下部ポケット１２との間の記入空間Ｓは、開口部となっているので、この開口部から下方メッセージシート上に必要なメッセージを書き込むこともできる。
【００４６】
このようにして、上下方メッセージシートは上部ポケット１１及び下部ポケット１２の透光性を利用して外部から視認することが可能となると共に、下部ポケット１２に収納した下方メッセージシートへの書込みメッセージも開口部から視認することができ、必要に応じて所望のメッセージを商品に付して頒布することが可能となり、特にノベルティ商品の収納用袋として機能を充分に発揮することができる。
【００４７】
また、貰った人は、収納物を取出す際には、上部ポケット１１の下端縁に形成した熱溶着部分に必要に応じて介設した切断体を引張って、熱溶着部分ごと樹脂製袋１０の一側面を破断して極めて容易に内収納物を取出すことができる。
【００４８】
最後に、上述した実施形態の説明は本考案の一例であり、本考案は上述の実施形態に限定されることはない。このため、上述した実施形態以外であっても、本考案に係る技術的思想を逸脱しない範囲であれば、設計等に応じて種々の変更が可能であることは勿論である。
【符号の説明】
【００４９】
１  メッセージシート収納用樹脂製袋
１０  樹脂製袋
１０ａ  樹脂製袋の上半部
１０ｂ  樹脂製袋の下半部
１１  上部ポケット
１１ａ  上部ポケットの下底部
１１ｂ  上部ポケットの上端部
１１ｃ  切り込み部
１１ｄ，１４  熱溶着部
１２  下部ポケット
１２ａ  下部ポケットの上端開口部
１３  垂下壁
１３ａ  垂下壁の挿入開口部
１５  接着剤塗布部
１７  中シート
１７ａ  中シートの上端部
１８  裏シート
１８ａ  裏シートの上端部
１８ｂ  裏シートの下端部
１９  表シート
２０  空気孔
Ｓ  記入空間
【図１】
0003156642.tif 000003
【図２】
0003156642.tif 000004
【図３】
0003156642.tif 000005
【図４】
0003156642.tif 000006
【手続補正書】
【提出日】平成21年11月2日(2009.11.2)
【手続補正１】
【補正対象書類名】実用新案登録請求の範囲
【補正対象項目名】全文
【補正方法】変更
【補正の内容】
【実用新案登録請求の範囲】
【請求項１】
樹脂製袋の外側面の上半部と下半部において、透光性の樹脂シートにより上方開口の上部ポケットと上方開口の下部ポケットとをそれぞれ形成すると共に、上部ポケットの下底部を、下部ポケットの上方開口方向に向かって伸延し、下部ポケットの開口縁部との間に一定の間隙を形成したことを特徴とするメッセージシート収納用樹脂製袋。
【請求項２】
前記上部ポケットの下底部に熱溶着部を形成し、同熱溶着部内に切断体を溶入して、前記熱溶着部と共に前記樹脂製袋の一側壁を破断するように構成したことを特徴とする請求項１に記載のメッセージシート収納用樹脂製袋。
【手続補正２】
【補正対象書類名】明細書
【補正対象項目名】０００８
【補正方法】変更
【補正の内容】
【０００８】
また、請求項２に係る考案は、請求項１に記載のメッセージシート収納用樹脂製袋において、上部ポケットの下底部に熱溶着部を形成し、同熱溶着部内に切断体を溶入して、前記熱溶着部と共に前記樹脂製袋の一側壁を破断するように構成することとした。